(57)【要約】【課題】どのように記録されたコンテンツデータであっても、同一番組や同一シリーズのコンテンツに対して異なる放送回のコンテンツを簡単に検索し再生することのできるコンテンツ再生装置を提供する。【解決手段】映像又は音声のコンテンツデータを再生するコンテンツ再生装置である。そして、前記コンテンツデータには該データに関連する日時情報が付加され、複数の前記コンテンツデータを記憶する記憶手段と、指定のコンテンツデータに付加された日時情報を基準に、この基準の日時情報から設定期間隔たった日時情報が付加されたコンテンツデータを、前記記憶手段に格納された複数のコンテンツデータの中から検索する特殊検索手段（ステップＳ２）を備えている。【選択図】図２
2008252270.tif 000002
【特許請求の範囲】
【請求項１】
映像又は音声のコンテンツデータを再生するコンテンツ再生装置であって、
前記コンテンツデータには該データに関連する日時情報が付加され、
複数の前記コンテンツデータを記憶する記憶手段と、
指定のコンテンツデータに付加された日時情報を基準に、この基準の日時情報から設定期間隔たった日時情報の付加されたコンテンツデータを、前記記憶手段に格納された複数のコンテンツデータの中から検索する特殊検索手段を備えたことを特徴とするコンテンツ再生装置。
【請求項２】
前記特殊検索手段の検索処理で基準とされる前記指定のコンテンツデータは、現在再生処理中或いは最後に再生処理したコンテンツデータであることを特徴とする請求項１記載のコンテンツ再生装置。
【請求項３】
前記特殊検索手段による検索処理を実行させるための専用の操作部を備えていることを特徴とする請求項１又は２に記載のコンテンツ再生装置。
【請求項４】
前記日時情報の曜日に応じて前記設定期間を異ならせることが可能であることを特徴とする請求項１〜３のいずれか１項に記載のコンテンツ再生装置。
【請求項５】
前記設定期間をユーザにより設定変更可能な設定手段を備えていることを特徴とする請求項１〜４のいずれか１項に記載のコンテンツ再生装置。
【請求項６】
前記特殊検索手段による検索処理の実行指令が複数回入力された場合に、前記設定期間が複数回分重畳されて隔たった日時情報の付加されたコンテンツデータの検索が行われることを特徴とする請求項１〜５のいずれか１項に記載のコンテンツ再生装置。
【請求項７】
前記設定期間が示される検索設定データを各コンテンツデータごとに登録可能なデータ格納手段と、
任意のコンテンツデータに対応する前記設定期間を各コンテンツデータの類似点の比較により割り出して前記検索設定データを生成する検索設定データ生成手段とを備え、
前記特殊検索手段は、前記指定のコンテンツデータに対応する検索設定データが前記データ格納手段にある場合に、この検索設定データに基づくコントテンツデータの検索処理を実行する一方、前記指定のコンテンツデータに対応する検索設定データが前記データ格納手段にない場合に、前記検索設定データ生成手段により該コンテンツデータに対応する検索設定データを生成して前記データ格納手段に登録することを特徴とする請求項１〜３のいずれか１項に記載のコンテンツ再生装置。
【発明の詳細な説明】
【技術分野】
【０００１】
この発明は、映像又は音声のコンテンツデータの再生を行うコンテンツ再生装置に関する。
【背景技術】
【０００２】
以前より、映像や音声の多数のコンテンツデータを記憶装置に格納し、これらの再生を可能としたコンテンツ再生装置がある。例えば、テレビ放送の録画が可能なハードディスクレコーダ、ネットワークを介して楽曲データや映像データをダウンロードできるネットワーク対応型再生装置、大容量の記憶装置の搭載されたポータブル再生装置など、様々なものがある。
【０００３】
このようなコンテンツ再生装置においては、多数のコンテンツデータが格納可能となることから、多数のコンテンツデータの中から所望のコンテンツデータを簡単に見つけることが出来るようにするため、様々なコンテンツデータの選択方法が提案されている。
【０００４】
例えば、コンテンツデータのファイル名やファイル形式、コンテンツデータに付加されている記録日時、ジャンル、アーチスト情報などの付属情報に基づいて、コンテンツデータを記録日時またはファイル名の順番でソート表示させて選択可能としたり、ジャンルやアーチストなどの区分ごとにリスト表示させてコンテンツの選択を可能とする方法など、様々な選択方法が提案されている。
【０００５】
また、本願発明に関連する従来技術として、特許文献１には、放送コンテンツの録画記憶時に、連続ドラマや定時番組など同一番組のコンテンツデータを相互に関連づける参照情報を生成し記憶させ、コンテンツデータの再生時にこの参照情報を利用して他の放送回のコンテンツデータの選択を容易に行うことを可能とした技術が開示されている。
【特許文献１】特開２００６−２０２４２８号公報
【発明の開示】
【発明が解決しようとする課題】
【０００６】
コンテンツデータには、例えば、毎日同時刻に放送される同一番組のコンテンツデータ、ウィークデーのみ同時刻に放送される同一番組のコンテンツデータ、毎週同時刻に放送される同一番組のコンテンツデータなど、一定周期で放送されるものが多い。また、ネットワーク配信されるコンテンツデータであっても同一シリーズのもので同様の周期性を有するものがある。
【０００７】
一方、ユーザが任意のコンテンツデータを選択して再生を開始したとき、同一番組や同一シリーズのコンテンツで前回や前々回のコンテンツを再生したいと思うような状況がよく生じる。
【０００８】
しかしながら、従来のコンテンツ再生装置では、このように異なる放送回のコンテンツを再生したいという要求が生じたときでも、該当するコンテンツデータの検索を簡単に行うことが出来ないという課題があった。すなわち、異なる放送回路のコンテンツを再生したい場合でも、図７のフローチャートに示すように、先ず、操作部からの入力によりコンテンツ選択モードの表示を行わせ（ステップＳ７１，Ｓ７２）、コンテンツデータのソート方法や検索方法の入力をしてコンテンツデータのリスト表示を行わせ（ステップＳ７３，Ｓ７４）、この中から前回や前々回のコンテンツデータを選択して（ステップＳ７５）、このコンテンツデータの再生を開始させる（ステップＳ７６）、というような煩雑な操作を必要とした。
【０００９】
また、上記特許文献１の技術では、録画時に同一番組のコンテンツデータを対応づける参照情報を生成する必要があることから、例えば、録画時に同一番組のコンテンツデータか否かを調べる情報が全くない場合や、放送録画でなく他の機器からコンテンツデータをコピーして再生を行う場合などには、上記のような参照情報を生成することができず、異なる放送回のコンテンツ選択を容易とする機能が働かなくなるという課題があった。
【００１０】
この発明の目的は、どのように記録されたコンテンツデータであっても、同一番組や同一シリーズのコンテンツに対して例えば前回や前々回など異なる放送回のコンテンツの再生に簡単に切り替えることのできるコンテンツ再生装置を提供することにある。
【課題を解決するための手段】
【００１１】
上記目的を達成するため、請求項１記載の発明は、映像又は音声のコンテンツデータを再生するコンテンツ再生装置であって、前記コンテンツデータには該データに関連する日時情報が付加され、複数の前記コンテンツデータを記憶する記憶手段と、指定のコンテンツデータに付加された日時情報を基準に、この基準の日時情報から設定期間隔たった日時情報が付加されたコンテンツデータを、前記記憶手段に格納された複数のコンテンツデータの中から検索する特殊検索手段を備えたことを特徴としている。
【００１２】
請求項２記載の発明は、さらに、前記特殊検索手段の検索処理で基準とされる前記指定のコンテンツデータは、現在再生処理中或いは最後に再生処理したコンテンツデータであることを特徴としている。
【００１３】
請求項３記載の発明は、さらに、前記特殊検索手段による検索処理を実行させるための専用の操作部を備えていることを特徴としている。
【００１４】
請求項４記載の発明は、さらに、日時情報の曜日に応じて前記設定期間を異ならせることが可能であることを特徴としている。
【００１５】
請求項５記載の発明は、さらに、前記設定期間をユーザにより設定変更可能な設定手段を備えていることを特徴としている。
【００１６】
請求項６記載の発明は、さらに、前記特殊検索手段による検索処理の実行指令が複数回入力された場合に、前記設定期間が複数回分重畳されて隔たった日時情報の付加されたコンテンツデータの検索が行われることを特徴としている。
【００１７】
請求項７記載の発明は、さらに、前記特殊検索手段の検索条件となる前記設定期間が示される検索設定データを各コンテンツデータごとに登録可能なデータ格納手段と、任意のコンテンツデータに対応する前記設定期間を各コンテンツデータの類似点の比較により割り出して前記検索設定データを生成する検索設定データ生成手段とを備え、前記特殊検索手段は、前記指定のコンテンツデータに対応する検索設定データが前記データ格納手段にある場合に、この検索設定データに基づくコントテンツデータの検索処理を実行する一方、前記指定のコンテンツデータに対応する検索設定データが前記データ格納手段にない場合に、前記検索設定データ生成手段により該コンテンツデータに対応する検索設定データを生成して前記データ格納手段に登録することを特徴としている。
【発明の効果】
【００１８】
本発明に従うと、特殊検索手段により指定のコンテンツデータと設定期間（例えば、１日や１週間など）隔てた関係にあるコンテンツデータをダイレクトに検索することができる。従って、所定周期で放送や配信が行われる同一番組や同一シリーズの複数のコンテンツデータに対して、煩雑な操作を要さずにこれら複数のコンテンツデータ間で再生の切り換えを実行できるという効果がある。
【発明を実施するための最良の形態】
【００１９】
以下、本発明の実施の形態を図面に基づいて説明する。
［第１実施形態］
図１は、本発明の実施の形態のコンテンツ再生装置を示す構成図である。
【００２０】
この実施形態のコンテンツ再生装置１は、テレビ放送を録画してデジタルのコンテンツデータとして記憶したり、ネットワーク配信されるコンテンツデータをダウンロードして記憶したり、また、これらのコンテンツデータの再生を行う装置である。
【００２１】
このコンテンツ再生装置１は、図１に示すように、アンテナＡＮを介して選択チャンネルの放送信号を受信するチューナ１０と、チューナ１０で受信したアナログ映像信号やアナログ音声信号を所定形式のデジタル信号に変換するＡＤコンバータ１１と、コンテンツデータの再生時にデジタルの映像信号や音声信号を所定形式のアナログ信号に変換して出力するＤＡコンバータ１２と、特定のコンピュータネットワークに接続して通信を行うとともに特定のサーバコンピュータからデジタルコンテンツのダウンロード等を行うネットワーク通信＆デジタル入力モジュール１３と、映像信号や音声信号の圧縮処理および復号処理を行うＤＳＰ（デジタルシグナルプロセッサ）１４と、コンテンツデータの記憶等を行うハードディスクドライブなどの記憶装置（記憶手段）１５等を備えている。
【００２２】
また、このコンテンツ再生装置１には、ＣＰＵ（中央演算処理装置）を内蔵し装置の統括的な制御を行うコントローラ１６と、設定データ等の記憶を行うＥＥＰＲＯＭ（電気的消去型プログラマブルRead Only Memory）１７と、制御プログラムや制御データが格納されるフラッシュメモリ（書き換え可能な不揮発性メモリ）１８と、ＣＰＵに作業用のメモリ空間を提供するＲＡＭ（Random Access Memory）１９と、操作ボタンやリモコンの受光器などを有しユーザからの操作指令を入力する操作部２０と、複数の操作ボタンを有する図示略のリモコン（リモートコントローラ）と、簡単な文字表示などの表示出力が可能な表示部２１等が設けられている。
【００２３】
上記のコントローラ１６には、例えば時計機能（リアルタイムクロック）が備わっており現在日時の認識が可能になっている。
【００２４】
上記のネットワーク通信＆デジタル入力モジュール１３は、デジタルコンテンツのダウンロードのみでなく、例えば、特定のサーバからテレビ放送のデジタル番組表をダウンロードする機能が備わっている。なお、チューナ１０がデジタル放送チューナであればデジタル放送信号によりデジタル番組表を受信することも出来るし、またアナログ放送チューナであっても放送波の隙間に挿入される補助的な放送信号により配信されるデジタル番組表を受信することも出来る。
【００２５】
操作部２０や上記のリモコンには、図示は省略するが、再生コンテンツの前回や前々回等のコンテンツデータを少ない操作でダイレクトに検索するためのワンタッチサーチボタン（専用の操作部）が備わっている。その他、例えば、録画ボタン、再生ボタン、チャンネル切換ボタン、音量ボタン、一次停止や前後のサーチボタンなど、機器の動作操作を行うための一般的なボタンや、メニュー画面を表示させるメニューボタン、カーソル移動ボタン、決定ボタンなど、メニュー操作を行うための一般的な機能ボタンが備わっている。
【００２６】
この実施形態のコンテンツ再生装置１は、上記の構成により、次のような記録機能および再生機能を備えている。例えば、再生機能として、ＦＭ放送やテレビ放送などで現在放送中のコンテンツを受信してそのまま再生を行う通常再生機能、ネットワークを介してコンテンツデータをダウンロードして再生するネットワーク再生機能、記憶装置に記憶されたコンテンツデータを再生する記録コンテンツ再生機能、また、記録機能として、現在放送受信中のコンテンツをそのまま録画又は録音する通常記録機能、記録予約を行って予約日時に自動的に録画や録音を行わせる予約記録機能、ＦＭ放送の記録時にネットワークから放送音楽の情報をダウンロードして録音データと関連づけて記憶させる音楽録音機能などを備えている。
【００２７】
上記の通常再生機能は、例えば、現在放送中のコンテンツをチューナ１０により受信させてＤＳＰ１４やＤＡコンバータ１２を介して直接的に再生出力させる機能である。この通常再生機能は、たとえば、操作ボタンの操作によりＦＭ放送やテレビ放送の切り換え、放送チャンネル選択、再生処理の指令等を入力することで実行され、ＤＡコンバータ１２からの再生信号は外部の表示装置やスピーカに出力されて表示出力ならびに音声出力が行われる。
【００２８】
ネットワーク再生機能は、特定のサーバ装置から配信される映像や音声のコンテンツデータをダウンロードして再生する機能であり、例えば、リモコンのメニュー操作によってサーバ装置に接続し、その後、サーバ装置の操作画面をカーソル操作等により適宜選択操作していくことで、所望のデジタルコンテンツを選択してダウンロードさせることが出来る。ダウンロードされたコンテンツデータはＤＳＰ１４やＤＡコンバータ１２を介して表示信号や音声信号に変換され、外部の表示装置やスピーカに出力される。
【００２９】
通常記録機能は、例えば、上記の通常再生機能による放送受信とその再生処理中に録画ボタンを操作することで実行され、それにより、チューナ１０で受信されてＤＳＰ１４で圧縮処理されたデジタルのコンテンツデータが、コントローラ１６を介して記憶装置１５に送られて記憶される。この記録処理の際には、上述のデジタル番組表が参照されて、このデジタル番組表から録画コンテンツの番組タイトル名、開始日時や終了日時、出演者や番組内容の概略説明などの付属情報がデータファイル化されて録画中のコンテンツデータに対応づけられて記憶装置１５に格納される。これらのうち、上記の開始日時や終了日時のデータがコンテンツデータに関連した日時情報となる。
【００３０】
予約記録機能は、例えば、メニュー画面での選択操作やデジタル番組表を表示させてのカーソル操作により、任意の放送チャンネルや放送時間の選択、あるいは、任意の放送番組の選択を行って予約録画をしておくことで、この放送日時となったときに自動的に上記のような放送番組の受信とコンテンツデータの記憶を行う機能である。その他、例えば、キーワードやジャンルなど種々の条件を入力しておくことで、こられの条件に合致した放送番組が自動的に選択されて記録予約される機能を有するようにしても良い。このような予約記録の際にも、上述のデジタル番組表が参照されて、このデジタル番組表から録画コンテンツの番組タイトル名、開始日時や終了日時、出演者や番組内容の概略説明などの付属情報がデータファイル化されて録画中のコンテンツデータに対応づけられて記憶装置１５に格納される。これら開始日時や終了日時のデータがこのコンテンツデータに関連した日時情報となる。
【００３１】
なお、上記の通常記録機能や予約記録機能の処理において、テレビ放送録画など映像コンテンツの記憶が行われる場合には、映像と音声を含む所定のデータファイル形式で記憶され、ＦＭ放送の録音など音声コンテンツの記憶が行われる場合には、例えばＭＰ３など音声用のデータファイル形式で記憶される。
【００３２】
また、上記の通常記録機能や予約記録機能の処理において、デジタル番組表が取得できなかった場合や、或いは、記録中の番組がデジタル番組表に載っていない場合などには、デジタル番組表から得られる付属情報の記憶は行われないが、例えば、コントローラ１６の時計機能を用いて記録開始日時や記録終了日時などの付属情報がコンテンツデータに対応づけられて記憶されるようになっている。この場合には、この記録開始日時や記録終了日時のデータがコンテンツデータに関連した日時情報となる。
【００３３】
音楽録音機能は、ＦＭ放送と特定のサーバ装置によるネットワークサービスを利用して行われるもので、ＦＭ放送の録音中に、上記サーバ装置から放送中の楽曲の楽曲情報（楽曲タイトル、演奏アーチスト名、開始日時等）をダウンロードしたり、ＦＭ放送番組の番組情報（番組名、ＤＪ（ディスクジョッキー）名、番組開始日時、番組終了日時等）をダウンロードして、録音したコンテンツデータと、これらの楽曲情報や番組情報を含む付属情報とを対応づけて、それぞれ記憶装置１５に記憶する機能である。この場合にも、上記サーバ装置から楽曲情報や番組情報が取得できなかった場合には、例えば、コントローラ１６の時計機能を用いて記録開始日時や記録終了日時などの付属情報がコンテンツデータに対応させて記憶される。
【００３４】
記録コンテンツ再生機能は、上記のように録画録音されたコンテンツデータを記憶装置１５から読み出して再生する処理である。再生するコンテンツデータは、例えば、メニュー画面からコンテンツ選択モードを選択入力することで、記憶装置１５に記憶されている全てのコンテンツデータを一覧表示させ、カーソル移動ボタンの操作により、この一覧表示の中から所望のコンテンツデータを指定して選択することが出来る。或いは、この一覧表示においてソート方法を指示して例えば記録日時順やタイトル順に並べかえたり、ジャンルやファイル形式などの検索条件を指定して、この条件に合致したものだけ抽出して表示させたりすることで、所望のコンテンツデータを探しやすくすることが可能になっている。再生するコンテンツデータが選択されたら、コントローラ１６がこのコンテンツデータを記憶装置１５から読み出してＤＳＰ１４に転送し、そこで復号等の処理を行ってＤＡコンバータ１２を介して外部出力する。
【００３５】
次に、ワンタッチサーチボタンを用いたワンタッチサーチ処理（特殊検索手段）について、図２のフローチャートを参照しながら説明する。
図２は、コントローラ１６のＣＰＵにより実行されるワンタッチサーチ処理の処理手順を示すフローチャートである。
【００３６】
ワンタッチサーチ処理は、任意のコンテンツデータの再生中、操作部２０やリモコンに備わるワンタッチサーチボタンが押された場合に、このコンテンツデータに付加された日時情報を基準として、それより１日前でほぼ同時刻の日時情報を有したコンテンツデータを検索してその再生を行う処理である。
【００３７】
すなわち、図２に示すように、コンテンツデータの再生中にワンタッチサーチボタンが押されると（ステップＳ１）、現在再生中のコンテンツデータに対応づけられた付属情報から日時情報（開始日時や終了日時のデータ等）を取得し、この日時情報を基準としてそれより１日前のほぼ同時刻の日時情報の付加されたコンテンツデータの検索を行う（ステップＳ２）。ほぼ同時刻の条件としては、例えば、開始時刻から終了時刻までの範囲に重なりを有する場合、開始時刻が前後数分の誤差（例えば５分や１０分の誤差）で同一の場合などを適用することが出来る。
【００３８】
そして、ステップＳ２の検索処理で該当するコンテンツデータの有無を判別し（ステップＳ３）、見つかっていなければステップＳ４に移行して該当コンテンツがない旨を示すエラー表示を行ってこのワンタッチサーチ処理を終了する。
【００３９】
一方、該当コンテンツがあればステップＳ５でこのコンテンツが複数あるか否か判別し、１個であればステップＳ７に移行してそのコンテンツデータの再生を開始するが、複数あればステップＳ６に移行して、該ステップで、複数のコンテンツデータの中から付属情報のその他情報等を比較して同一の情報をより多く含んでいるものを探し出す。例えば、ジャンル情報が同一か否か、タイトル情報に同一文字列が何文字含まれているか等の比較を行って、同一の情報をより多く含んでいるものを探し出す。そして、ステップＳ７に移行して、ステップＳ６で探し出したコンテンツデータの再生を開始する。
【００４０】
このようなワンタッチサーチ処理により、例えば、次のような利便性の高いコンテンツデータの検索処理を行うことが出来る。すなわち、毎日同時刻に放送される番組を毎日録画予約しているような状況で、ユーザがこの番組の何れかの放送回のコンテンツデータを再生したときに、前回の放送分を見ていないと気づいたとする。このような場合、ユーザはワンタッチサーチボタンを押すだけで、一日前の同時刻に放送されていた前回放送分のコンテンツデータの再生を開始させ、その視聴を行うことが可能となる。
【００４１】
また、例えばデジタル番組表の配信が受けられず、コンテンツデータに番組タイトルやジャンルなどの付属情報が付加されなかった場合でも、記録開始日時や記録終了日時の情報は必ずコンテンツデータに付加されるので、この情報に基づき上記のワンタッチサーチ処理を正常に実行することが出来る。
【００４２】
なお、この実施形態のワンタッチサーチ処理では、一日前の同時刻のコンテンツデータを検索して再生するようになっているが、例えば、１週間前の同時刻のコンテンツデータを検索するようにするなど、その期間の隔たり（設定期間）は適宜変更可能である。また、ワンタッチサーチボタンを一日前専用のボタンと一週間前専用のボタンと複数設けて、２種類のワンタッチサーチ処理が実行可能なように構成しても良い。
【００４３】
［第２実施形態］
第２実施形態のコンテンツ再生装置は、ワンタッチサーチ処理で検索処理されるコンテンツデータの期間の隔たりをユーザにより設定可能とした点で第１実施形態と異なり、その他のハードウェア構成や基本的な記録再生機能は第１実施形態のものと同様である。
【００４４】
この実施形態のコンテンツ再生装置では、例えば、メニュー画面からメニュー選択を行って機器の設定画面を表示させたときに、「ワンタッチサーチ機能の検索間隔」等の設定項目が含まれている。そして、例えば、「１日」、「１週間」、「土日を外す」、「ユーザ設定」等の選択がユーザにより行えるようになっている。「ユーザ設定」を選択した場合には、何日何時間といった詳細な間隔設定も可能になっている。このような設定処理は、コントローラ１６のＣＰＵによるソフトウェア処理により実現され、これらにより設定手段が構成される。
【００４５】
設定変更された「ワンタッチサーチ機能の検索間隔」の情報は、例えば、ＥＥＰＲＯＭ１７に格納され、ワンタッチサーチ処理が実行されたときに読み出されて該処理で用いられるようになっている。
【００４６】
図３には、第２実施形態のワンタッチサーチ処理のフローチャートを示す。
第２実施形態のワンタッチサーチ処理では、ステップＳ１，Ｓ３〜Ｓ７は第１実施形態の処理（図２）と同様であり、ステップＳ１２の検索処理の内容のみ異なる。従って、同一ステップの説明は省略する。
【００４７】
第２実施形態のワンタッチサーチ処理では、ワンタッチサーチボタンが押されてステップＳ１２に移行した場合に、コンテンツデータの検索条件となる設定期間が、上記ＥＥＰＲＯＭ１７に格納されている「ワンタッチサーチ機能の検索間隔」の情報に基づき決定され、この設定期間分隔たった日時情報を有するコンテンツデータの検索が行われるようになっている。
【００４８】
このようなサーチ処理により、例えば、上記の「ワンタッチサーチ機能の検索間隔」の設定で「１日」が選択されていれば、一日前の同時刻のコンテンツデータの検索が行われ、「１週間」が選択されていれば、一週間前の同時刻のコンテンツデータの検索が行われ、「ユーザ設定」が選択されていれば、ユーザ設定されたＸ日前のＹ時間前のコンテンツデータの検索が行われるようになっている。
【００４９】
以上のように、この第２実施形態のコンテンツ再生装置によれば、ワンタッチサーチ処理の検索処理で使用される設定期間をユーザにより適宜設定変更できるので、ユーザに合った設定期間で隔たったコンテンツデータのサーチ機能を適宜提供することが出来る。
【００５０】
［第３実施形態］
図４には、第３実施形態のワンタッチサーチ処理のフローチャートを示す。
【００５１】
第３実施形態のコンテンツ再生装置は、ワンタッチサーチ処理の検索方法を少し変更したもので、その他、ハードウェア構成や基本的な記録再生機能は第１実施形態のものと同様である。
【００５２】
この実施形態のコンテンツ再生装置では、ウィークデーにのみ同時刻で放送される番組が多くあることから、ワンタッチサーチ処理を実行する際に再生中だったコンテンツデータが月曜日のものであれば、土日分を外して３日前の同時刻のコンテンツデータを検索し、再生中だったコンテンツデータが月曜日以外のものであれば、１日前の同時刻のコンテンツデータを検索するようにしたものである。
【００５３】
図４に示すように、第３実施形態のワンタッチサーチ処理では、ステップＳ１，Ｓ３〜Ｓ７は第１実施形態の処理（図２）と同様であり、ステップＳ２２〜Ｓ２４の検索処理の内容のみ異なる。従って、同一ステップの説明は省略する。
【００５４】
第３実施形態のワンタッチサーチ処理では、ワンタッチサーチボタンが押されてステップＳ２２に移行したら、まず、再生中のコンテンツデータの日時情報に基づきこの日時が何曜日か算出してその結果が月曜日か否か判断する。その結果、月曜日であれば、ステップＳ２３に移行して３日前の同時刻の日時情報を有するコンテンツデータの検索が行われ、月曜日でなければ、ステップＳ２４に移行して１日前の同時刻の日時情報を有するコンテンツデータの検索を行う。そして、続くステップＳ３〜Ｓ７のステップで、検索されたコンテンツデータについての再生処理等が行われる。
【００５５】
以上のように、この実施形態のコンテンツ再生装置によれば、ウィークデーのみ放送され、土日は放送されないような多くの放送番組に適宜対応したワンタッチサーチ処理を提供することが出来る。
【００５６】
［第４実施形態］
図５には、第４実施形態のワンタッチサーチ処理のフローチャートを示す。
第４実施形態のコンテンツ再生装置は、ワンタッチサーチ処理の検索方法を少し変更したもので、その他、ハードウェア構成や基本的な記録再生機能は第１実施形態のものと同様である。
【００５７】
この実施形態のコンテンツ再生装置は、ワンタッチサーチボタンを連続して複数回操作した場合に、検索される期間の隔たりを複数回分重畳した間隔に変更してコンテンツデータの検索が行われるようにしたものである。すなわち、１回の操作で１日前の同時刻のコンテンツデータの検索が行われる構成であれば、連続してｎ回操作した場合にｎ日前の同時刻のコンテンツデータの検索を行うようにしたものである。
【００５８】
図５に示すように、第４実施形態のワンタッチサーチ処理では、ステップＳ３２〜Ｓ３４の内容のみ異なり、その他のステップＳ１，Ｓ３〜Ｓ７は、第１実施形態のワンタッチサーチ処理（図２）のものと同様である。従って、同一ステップの説明は省略する。
【００５９】
第４実施形態のワンタッチサーチ処理では、ワンタッチサーチボタンが押されてステップＳ３２に移行したら、ボタン入力が何回行われたか確認してこの回数を変数ｎに代入する。そして、ステップＳ３３で、ｎ日前の同時刻の日時情報を有するコンテンツデータの検索を実行するようになっている。
【００６０】
このような構成により、１回前の放送分から複数回前の放送分までダイレクトにコンテンツデータの切り換えを行って再生することが可能となり、同一番組の視聴を行う際のユーザの利便性をより高めることが出来る。
【００６１】
［第５実施形態］
第５実施形態のコンテンツ再生装置は、ワンタッチサーチ処理におけるコンテンツデータの検索条件となる設定期間（再生中のコンテンツデータの日時情報と検索対象のコンテンツデータの日時情報との隔たり）を固定とせずに、コンテンツデータごとに適切な設定期間を自動的に生成してデータ登録し、このデータ登録された設定期間を用いてワンタッチサーチ処理を実行するようにしたものである。その他、ハードウェア構成や基本的な再生記録機能は第１実施形態のものと同様である。
【００６２】
上記設定期間は、ワンタッチサーチボタンが押されたときにその時点で再生されているコンテンツデータに対して生成されるようになっている。そして、この生成されたデータが当該コンテンツデータの検索設定データとして、例えば、データ格納手段としてのＥＥＰＲＯＭ１７に格納されるようになっている。この検索設定データには、上記の設定期間の情報に加え、対応するコンテンツデータのファイル名称、付属情報に含まれる開始日時情報から算出される開始時間情報や曜日情報が含まれるようになっている。このような検索設定データは、複数のコンテンツデータ分をまとめて１つのデータファイルに格納した形式としても良いし、コンテンツデータごとに１つのデータファイルとして記憶するようにしても良い。
【００６３】
図６には、第５実施形態のワンタッチサーチ処理のフローチャートを示す。
【００６４】
この実施形態のワンタッチサーチ処理では、先ず、ワンタッチサーチボタンが操作されてその指令が入力されると（ステップＳ４１）、ステップＳ４２において、再生中のコンテンツデータに対応する検索設定データの有無を判別し、有ればステップＳ４３に移行し、無ければステップＳ４８に移行する。
【００６５】
その結果、対応する検索設定データがあってステップＳ４３に移行したら、該ステップでこの検索設定データを読み込んで、そこに記録されている設定期間分前の日時情報が付加されているコンテンツデータの検索を行う。
【００６６】
そして、この検索処理で該当するコンテンツデータが見つかったか否かを判別し（ステップＳ４４）、見つからなければステップＳ５４に移行して該当コンテンツがない旨を示すエラー表示を行ってこのワンタッチサーチ処理を終了する。一方、該当コンテンツがあった場合には、ステップＳ４５で該当コンテンツが複数あるか否かを判別し、１個であればステップＳ４７に移行してそのコンテンツデータの再生を開始するが、複数あればステップＳ４６に移行して、付属情報のその他情報を比較して同一の情報をより多く含んでいるものを、複数のコンテンツデータの中から探し出す。そして、ステップＳ４７で、このコンテンツデータの再生を開始する。
【００６７】
一方、ステップＳ４２の判別処理で、検索設定データがないとしてステップＳ４８に移行した場合には、該ステップで再生中のコンテンツデータと類似点を多く含み、再生中のコンテンツデータのものよりも日時情報が古いコンテンツデータの検索を行う。例えば、コンテンツデータのファイル名称（ファイル名称の一部にタイトル情報が使用される場合）に同一の文字列を含んでいるもの、付属情報のタイトル情報が同じもの等の検索条件で、コンテンツデータの検索を行う。そして、ステップＳ４９に移行する。
【００６８】
ステップＳ４９では、該当するコンテンツデータの有無を判別し、無ければステップＳ５４に移行して、ワンタッチサーチの実行不可を示すエラー表示を行って、このワンタッチサーチ処理を終了する。一方、該当するコンテンツデータか有れば、このコンテンツデータのファイル名称やタイトル情報の表示を行ってユーザに対してＯＫかＮＯの入力を要求する（ステップＳ５０）。ここで、ユーザは、再生中のコンテンツデータと同一番組のコンテンツデータであればＯＫの選択入力を、違う番組のコンテンツデータであればＮＯの選択入力を行う。
【００６９】
そして、ユーザからの入力結果の判別を行って（ステップＳ５１）、入力結果がＮＯであればステップＳ５４に移行して、ワンタッチサーチの実行不可を示すエラー表示を行って、このワンタッチサーチ処理を終了する。
【００７０】
一方、入力結果がＯＫであればステップＳ５２に移行して、該ステップで、検索されたコンテンツデータのうち日時情報の一番新しいものと、再生中のコンテンツデータの日時情報との時間差を算出し、この時間差をワンタッチサーチ処理での検索条件となる設定期間の情報とする。例えば、ほぼ２４時間に近ければ、設定期間を１日とし、土日を挟んでほぼ３×２４時間に近ければ、設定期間を土日を除く１日としたりする。
【００７１】
次いで、ステップＳ５３にて、上記設定期間を、再生中コンテンツの開始時間情報、曜日情報、ファイル名称と対応づけて検索設定データとしてＥＥＰＲＯＭ１７に記憶させる。上記のステップＳ４８〜Ｓ５３の処理により検索設定データ生成手段が構成される。そして、ステップＳ４３に移行して、続くステップＳ４３〜Ｓ４７のステップで、この検索設定データを用いたサーチ処理等が行われて、検索されたコンテンツデータの再生処理が行われる。
【００７２】
以上のように、この実施形態のコンテンツ再生装置によれば、ワンタッチサーチボタンの操作により、コンテンツデータごとにワンタッチサーチ処理の設定期間が適宜自動生成され、この設定期間前のコンテンツデータの検索再生が行われるので、一日ごとに放送される番組や一週間ごとに放送される番組が混在している場合でも、その番組に応じた期間の隔たりでワンタッチサーチ処理が行われ、何れの番組においても前回の放送分のコンテンツデータの検索再生を簡単に実現することが出来るという効果が得られる。
【００７３】
なお、本発明は、上記第１〜第５の実施形態に限られるものではなく、様々な変更が可能である。例えば、第１〜第５の実施形態では、各実施形態ごとに別個のコンテンツ再生装置として説明したが、例えば１個のコンテンツ再生装置に第１〜第５の実施形態のワンタッチサーチ処理の仕様を搭載し、これらを機器の設定により切り換えて使用できる構成としても良い。
【００７４】
また、上記実施の形態では、ワンタッチサーチ機能を、再生中のコンテンツデータより古い放送回のコンテンツデータを検索する機能として説明しているが、例えば、ワンタッチサーチボタンを「古い放送回用」と「新しい放送回用」と２つ設け、古い放送回のコンテンツデータを再生しているときに「新しい放送回用」のワンタッチサーチボタンを押したら、再生中のコンテンツデータより以降の放送回のコンテンツデータを検索して再生処理するように構成しても良い。
【００７５】
また、上記実施の形態では、コントテンツデータに付加される付属情報がコンテンツデータと別のデータファイルに格納されると説明したが、付属情報がコンテンツデータのデータファイル中に含まれる形式としても良い。
【００７６】
また、上記実施の形態では、日時情報が付属情報としてコンテンツデータに付加される形式を示したが、例えば、記憶装置１５のファイルシステムに登録されるデータファイルの作成日時情報をコンテンツデータの日時情報として用いるようにしても良い。
【００７７】
また、ワンタッチサーチ処理を実行するための操作部として、専用の１個の操作ボタンを例示したが、例えば、メニュー画面等に表示される表示ボタンとすることも出来る。この場合、ワンタッチサーチ処理を実行するのに、メニュー画面の呼び出しと表示ボタンの選択と、操作回数が幾分増えるものの、従来の場合と比較すれば少ない操作で同様のサーチ処理を行うことが出来る。
【００７８】
その他、実施の形態で具体的に示した細部等は、発明の趣旨を逸脱しない範囲で適宜変更可能である。
【図面の簡単な説明】
【００７９】
【図１】本発明の実施の形態のコンテンツ再生装置を示す構成図である。
【図２】図１のＣＰＵにより実行されるワンタッチサーチ処理の処理手順を示すフローチャートである。
【図３】第２実施形態におけるワンタッチサーチ処理のフローチャートである。
【図４】第３実施形態におけるワンタッチサーチ処理のフローチャートである。
【図５】第４実施形態におけるワンタッチサーチ処理のフローチャートである。
【図６】第５実施形態におけるワンタッチサーチ処理のフローチャートである。
【図７】従来のコンテンツ再生装置におけるコンテンツデータの選択処理の一例を示すフローチャートである。
【符号の説明】
【００８０】
１      コンテンツ再生装置
１０    チューナ
１３    ネットワーク通信＆デジタル入力モジュール
１４    ＤＳＰ
１６    コントローラ
１７    ＥＥＰＲＯＭ
１８    フラッシュメモリ
１９    ＲＡＭ
２０    操作部
２１    表示部
【図１】
2008252270.tif 000003
【図２】
2008252270.tif 000004
【図３】
2008252270.tif 000005
【図４】
2008252270.tif 000006
【図５】
2008252270.tif 000007
【図６】
2008252270.tif 000008
【図７】
2008252270.tif 000009